(57)【要約】  電池パックを提供する。  上ケースと下ケースとの間の接合は、これらのケースの上端と下端との間の接触領域で超音波溶接によって行われ、互いに接合されたケースの外面にフィルム状ラベルが取り付けられ、上ケースの上面及び下ケースの下面は、電池本体をラベルに段差なしで直接取り付けることができるように開放している。電池パックは、任意の従来の電池パックよりも薄型に製造でき、充電中及び放電中に電池本体からの放熱を効率的に行うことができ、更に、電池パックは、電池パックに必要な構造上の安定性を提供し、ケースの接合力を向上する。
2008532223.tif 000002
【特許請求の範囲】
【請求項１】
電池パックにおいて、
カソード、アノード、及びセパレータを含む電極アッセンブリが電解質とともに密封状態で取り付けられた矩形の電池本体と、電池パックを受け入れるための内部空間を持つ下ケースと、該下ケースに接合され、前記電池本体を密封するため、内部に前記電池本体が受け入れられる上ケースとを含み、
前記上ケースと前記下ケースとの間の接合は、これらのケースの上端と下端との間の接触領域で超音波溶接によって行われ、互いに接合された前記ケースの外面にフィルム状ラベルが取り付けられ、前記上ケースの前記上面及び前記下ケースの前記下面は、前記電池本体を前記ラベルに段差なしで直接取り付けることができるように開放している、電池パック。
【請求項２】
請求項１に記載の電池パックにおいて、
前記上ケースは、下方に延びる側壁を持つフレーム部材によって構成されており、前記下ケースは、上方に延びる側壁を持つフレーム部材によって構成されている、電池パック。
【請求項３】
請求項１に記載の電池パックにおいて、更に、
前記上ケース及び前記下ケースの側壁に形成された接合突出部及び接合溝を含み、前記接合突出部及び前記接合溝は、組み立てた状態で互いに係合できるようになっている、電池パック。
【請求項４】
請求項１に記載の電池パックにおいて、更に、
前記上ケースの前記上面と前記側壁とが互いに合一するところに肩部を有し、これらの肩部は、湾曲した断面形状でゆるやかに曲がっている、電池パック。
【請求項５】
請求項１に記載の電池パックにおいて、更に、
前記下ケースの前記下面と前記側壁とが互いに合一するところに肩部を有し、これらの肩部は、湾曲した断面形状でゆるやかに曲がっている、電池パック。
【請求項６】
請求項１に記載の電池パックにおいて、
前記上ケース及び前記下ケースの前記上端と前記下端との間の前記接触領域は、ポリカーボネート（ＰＣ）又はポリアクリロニトリル−ブタジエン−スチレン（ＡＢＳ）等のプラスチック材料で形成されている、電池パック。
【請求項７】
請求項１に記載の電池パックにおいて、
前記ラベルは１ユニットフィルム又は２ユニットフィルムであり、ラベルの重なり部分は、前記上ケース及び前記下ケースを前記ラベルで完全に包囲した後に互いに接合され、これによって、前記ラベルは、前記ケース及び前記電池本体に取り付けられる、電池パック。
【請求項８】
請求項１に記載の電池パックにおいて、
前記ラベルは、ポリカーボネート（ＰＣ）又はポリエチレンテレフタレート（ＰＥＴ）等のプラスチック材料で形成されており、前記ラベルの厚さは０．１ｍｍ乃至０．２ｍｍである、電池パック。
【請求項９】
請求項１に記載の電池パックにおいて、
前記電池本体は、リチウムイオン蓄電池又はリチウムイオンポリマー蓄電池である、電池パック。
【発明の詳細な説明】
【技術分野】
【０００１】
本発明は電池パックに関し、更に詳細には、上ケースと下ケースとの間の接合を、その上端と下端との間の接触領域で超音波溶接によって行い、互いに接合されたケースの外面にフィルム状ラベルを取り付け、電池本体にラベルを段差なしで直接取り付けることができるように上ケースの上面及び下ケースの下面が開放した電池パックに関する。これによって、電池パックは、従来の電池パックよりも薄く製造でき、充電中及び放電中に電池本体からの放熱を効率的に行うことができ、更に、電池パックは、電池パックに必要な構造上の安定性を提供し、ケースの接合力を向上する。
【背景技術】
【０００２】
益々多くの携帯デバイスが開発されてきた。そして、こうした携帯デバイスの需要が高まってきている。更に、携帯デバイス用のエネルギ源として蓄電池の需要が急速に高まってきている。こうした蓄電池の一つが、エネルギ密度及び放電電圧が高いリチウム蓄電池であり、これには多くの研究がなされてきており、現在、商業的に広く使用されている。
【０００３】
リチウム蓄電池は、その外形に基づき、円筒形電池、矩形電池、又はポーチ状電池にクラス分けされる。リチウム蓄電池は、電解質に基づき、リチウムイオン電池又はリチウムイオンポリマー電池にクラス分けされる。携帯デバイスの小型化に従って、比較的薄型の矩形電池及びポーチ状電池の需要が高まっている。
【０００４】
更に、ケースへの蓄電池の取り付け方法に基づいて、電池パックは、全体に、ハード電池パック又は内部電池パックにクラス分けされる。ハード電池パックの代表的な例を図１に示す。図１を参照すると、ハード電池パック１０は、このハード電池パック１０が取り付けられる外部デバイスの外観の一部を形成する。従って、ハード電池パック１０には、使用時にハード電池パックを外部デバイスに容易に取り付けることができるという利点がある。しかしながら、電池本体（図示せず）をケースに取り付ける場合、外部デバイスの種類に基づいてケース（ハウジング）１１を設計する必要がある。そのため、ハード電池パック１０の製造費は高く、更に、ハード電池パック１０は外部デバイスとの互換性が低い。
【０００５】
他方、図２に示すように、内部電池パック２０は、外部デバイスに取り付けられた後、外部デバイスの一部を形成するカバーによって隠される。その結果、内部電池パック２０を外部デバイスに取り付けるのは比較的煩わしいけれども、内部電池パック２０には、内部電池パックの設計が容易であり、内部電池パックの製造費は低く、内部電池パックは外部デバイスとの互換性が高いという利点がある。
【０００６】
矩形の電池本体を持つ内部電池パックの詳細を、図３及び図４を参照して説明する。これらの図を参照すると、内部電池パック２０は、一方の側部にカソード端子が形成されており且つ他方の側部にアノード端子が形成された矩形の電池本体２１と、主として電池を過電流、過放電、及び過充電から保護するため、二つの電極端子の一方に接続された正の温度係数（ＰＴＣ）エレメント２２と、電池を二次的に保護するため、ニッケルプレート２３を通してＰＴＣエレメント２２の側部電極端子（カソード端子又はアノード端子）に接続されており且つニッケルプレート２７を通して他方の電極端子に接続された、対応する外部デバイス（図示せず）に接続するため、外部入力端子及び外部出力端子が外側に設けられた保護回路ユニット２４と、電池本体、ＰＴＣエレメント２２、及び保護回路ユニット２４を包囲するための上ケース２５及び下ケース２６とを含む。
【０００７】
電池本体２１の側部とニッケルプレート２３との間、及び保護回路ユニット２４とニッケルプレート２７との間には、ニッケルプレート２３と電池本体２１との間、又はニッケルプレート２７と保護回路ユニット２４との間の不必要な接触による短絡を阻止するため、絶縁シート２８が配置されている。
【０００８】
更に、電池本体２１を下ケース２６の底部にぴったりと固定できるように、両面接着テープ２９が電池本体２１と下ケース２６との間に配置されている。従って、電池本体２１が上ケース２５と下ケース２６との間に受け入れられたとき、電池本体２１を上ケース２５及び下ケース２６に安定的に固定できる。
【０００９】
上ケース２５を下ケース２６に接合した後、電池本体２１が受け入れられ、接合された上ケース２５及び下ケース２６は、パッキングラベル３０によって包囲され、これにより上ケース２５と下ケース２６との間の接合力を更に高め、異物が、外部から、上ケース２５と下ケース２６との間の接合領域に、又は上ケース２５及び下ケース２６内に入り込まないようにする。
【００１０】
図５は、ポーチ状電池本体を含む従来の内部電池パックを示す斜視図であり、図６は、図５に示す電池パックの分解斜視図であり、図７は、部分的に組み立てた図５に示す電池パックの斜視図である。
【００１１】
これらの図を参照すると、電池パック５０は、カソード、アノード、及びセパレータを含む電極アッセンブリが電解質とともに密封状態で取り付けられたポーチ状電池本体５１と、この電池パック５１を受け入れるための内部空間を持つ下ケース５２と、下ケース５２に接合され、電池本体５１をシールするため、電池本体５１が受け入れられた上ケース５３とを含む。更に、上ケース５３及び下ケース５２が形成する内部空間に電池本体５１を安定的に固定できるように、両面接着テープ５４が、電池本体５１と上ケース５３及び下ケース５２との間に配置されている。
【００１２】
電池本体５１が受け入れられた下ケース５２に上ケース５３を接合した後、接合された上ケース５３及び下ケース５２を、図２、図３、及び図４に示す電池パック２０の組み立てプロセスと同様の方法で、パッキングラベル４０で包囲する。これにより上ケース５３と下ケース５２との間の接合力を高め、異物が、外部から、上ケースと下ケースとの間の接合領域に、又は上ケース及び下ケース内に入り込まないようにする。
【００１３】
図２の電池パック２０及び図５の電池パック５０では、上ケース及び下ケースは、ポリカーボネート（ＰＣ）又はポリアクリロニトリル−ブタジエン−スチレン（ＡＢＳ）のようなプラスチック材料で形成されており、上ケース及び下ケースは、超音波溶接法によって互いに固定的に接合される。超音波溶接法は、取り付けられるべき二つの表面を、例えば２００００Ｈｚの高い周波数の振動によって発生した摩擦熱を使用して溶接する方法である。
【００１４】
超音波溶接法による下ケースと上ケースとの間の接合の詳細を図８乃至図１１を参照して説明する。図８は、下ケース５２に取り付けられた上ケース５３を示す平面図であり、図９は、接合された上ケース５３及び下ケース５２の（図８のＡ−Ａ線に沿った）垂直断面図である。ここで、上ケース５３は下ケース５２に取り付けられているが、上ケース５３の両端が下ケース５２の両端と接触している。図１０は、超音波溶接前の図９の接触部Ｂを示す部分拡大図であり、図１１は、超音波溶接後の図９の接触部Ｂを示す部分拡大図である。図１０に示すように、楔状溶接押縁６１が上ケース５３の端部に形成されており、溶接表面７１が下ケース５２の端部に形成されており、溶接面７１を溶接押縁６１と接触させることができる。高い周波数の振動を溶接押縁６１及び溶接表面７１に加えると、溶接押縁６１と溶接表面７１との間の接触面が溶接され、及び従って、溶接押縁６１及び溶接表面７１が互いに取り付けられる。
【００１５】
しかしながら、厚さを更に小さくした小型電池パックの需要が高まるにつれて、下ケース５２及び上ケース５３の厚さは、近年、０．３ｍｍ乃至０．３５ｍｍまで減少してきている。その結果、下ケース及び上ケースをダイキャスト法や射出成形法で製造するのは困難である。更に、溶接押縁６１及び溶接表面７１の大きさが小さくなるに従って、溶接強度（接合力）が低下し、及び従って、溶接速度が低下する。
【００１６】
この理由により、厚さが小さいケースを使用した場合でも外部からの衝撃に関して適切な強度を持ち、少ない製造費で容易に製造できる電池パックが必要とされている。
【発明の開示】
【発明が解決しようとする課題】
【００１７】
従って、本発明の目的は、従来技術の上述の問題点並びに従来から必要とされてきた技術上の問題点を実質的になくすことである。
【００１８】
本発明の発明者は、電池パックの構造の徹底的な研究及び実験の結果、電池パックを落したり、電池パックに外部から衝撃が加わった場合、外力がケース間の接合領域に集中し、及び従って、ベースの厚さが小さいため、ケースの側部接合部分が先ず最初に壊れ、これにより電池パックの元来の機能が失われるということを発見した。更に、本発明者は、電池パックの上面（電池パックの上ケースの上面）及び電池パックの下面（電池パックの下ケースの下面）には、電池パックの上面又は電池パックの下面に垂直方向外力が加わらない限り、悪影響が及ぼされず、このような垂直方向外力が加わる可能性は、電池パックへの外力の効果を考えると比較的小さいということを発見した。
【００１９】
従って、本発明者は、厚さが非常に小さい小型電池パックを製造できるということを発見した。電池パックは、インターフェース面積が比較的大きいケースの上下の端部間の接合領域に、ケース間を直接接合する構造を設けることによって、望ましい機械的安定性を有する。接合力は、ケースの外面にフィルム状のラベルを巻き付けることによって更に増大する。上ケース及び下ケースの上面及び下面には、接合した上ケース及び下ケースの高さが電池本体の高さと等しいように開口部が夫々設けられている。
【００２０】
本発明は、こうした発見に基づいて完成されたものである。
【課題を解決するための手段】
【００２１】
本発明の特徴によれば、上述の及び他の目的は、電池パックにおいて、カソード、アノード、及びセパレータを含む電極アッセンブリが電解質とともに密封状態で取り付けられた矩形の電池本体と、電池パックを受け入れるための内部空間を持つ下ケースと、該下ケースに接合され、電池本体を密封するため、ここに電池本体が受け入れられる上ケースとを含み、上ケースと下ケースとの間の接合は、これらのケースの上端と下端との間の接触領域で超音波溶接によって行われ、互いに接合されたケースの外面にフィルム状ラベルが取り付けられ、上ケースの上面及び下ケースの下面は、電池本体をラベルに段差なしで直接取り付けることができるように開放している、電池パックを提供することによって達成される。
【００２２】
本発明による電池パックの特徴の一つは、上ケースと下ケースとを接合するのに使用される超音波溶接が、ケースの上端と下端との間の接触領域だけで行われ、ケースの側部接触領域では行われないということである。電池パックは、保護回路ユニットを電池本体に安定的に取り付けることができ、電池本体を外側から保護できるように、電池本体がケースに取り付けられた構造で形成される。従って、接合された上ケース及び下ケースは、電池本体及び保護回路ユニットを受け入れるための内部空間と、保護回路ユニットが取り付けられる上接触領域と、電池パックの下端を形成する、接触インターフェース面積が側部接触領域よりも大きい下接触領域とを有する。上文中に説明したように、超音波溶接を行うため、溶接押縁及び溶接面を接触領域に形成する必要があり、インターフェース面積が大きければ大きい程、接合力が高くなる。従って、上下の端部接触領域は、超音波溶接を行うのに適している。側部接触領域に関して超音波溶接を行わないことによって生じる接合力の低下は、ケースに巻き付けられるようにケースの外面の周囲に取り付けられたフィルム状ラベルを設けることによって補われる。超音波溶接が側部接触領域で行われないため、ケースの幅（ケースの両側間の距離）が更に減少し、及び従って、全体としての大きさが非常に小さい小型電池パックを製造できる。
【００２３】
本発明による電池パックの別の特徴は、電池本体をラベルに段差なしで直接取り付けることができるように、上ケースの上面及び下ケースの下面が開放しているということである。本明細書中では、「段差なしで」というのは、上ケースの上面及び下ケースの下面の構造が開放しており、上ケースと下ケースとを互いに接合し、電池本体を上ケース及び下ケースに取り付けたとき、上下のケースと電池本体との間に高さの差がなく、接合された上ケース及び下ケースの全高が電池本体の高さと等しいということを意味する。この構造により、ラベルの厚さを除く電池パックの全厚は、電池本体の厚さと等しい。従って、厚さが非常に小さい電池パックを製造できる。更に、充電時及び放電時に電池本体から発せられる熱が、上下のケースの上述の開放構造によって更に効率的に放散される。
【００２４】
好ましい実施例では、上ケースは、下方に延びる側壁を持つフレーム部材によって構成されており、下ケースは、上方に延びる側壁を持つフレーム部材によって構成されている。従って、上ケースと下ケースとを互いに接合したとき、電池パックの側部は、上ケース及び下ケースの側壁によって取り囲まれる。更に、接合突出部及び接合溝が、組み立てた状態で互いに係合できるように、上ケース及び下ケースの側壁に形成されている。
【００２５】
別の好ましい実施例では、電池パックは、上ケースの上面及び側壁が互いに合一するところに肩部を更に有し、これらの肩部は、湾曲した断面形状でゆるやかに曲がっている。このゆるやかに曲がった湾曲構造は、広幅の円弧状構造であり、上隅部に外部から衝撃が加わった場合に比較的安定している。このゆるやかに曲がった湾曲構造は、下ケースにも同様に適用される。
【００２６】
上ケース及び下ケース用の材料には特に制限はない。少なくとも、超音波溶接が行われる、上ケース及び下ケースの上下の端部間の接触領域は、ポリカーボネート（ＰＣ）又はポリアクリロニトリル−ブタジエン−スチレン（ＡＢＳ）等のプラスチック材料で形成されている。従って、上ケース及び下ケースの上下の端部間の接触領域を含むケース全体が、プラスチック材料又はプラスチック及び金属を含む複合材料で形成されていてもよい。
【００２７】
上ケースと下ケースとの間の接合力を更に高め、電池本体及びケースを外部から保護するため、ラベルは、電池本体が取り付けられた連結された上ケース及び下ケースの外面がこのラベルによって完全に取り囲まれるように、上ケース及び下ケースに取り付けられる。ラベルは、１ユニットフィルム又は２ユニットフィルムである。ラベルの重なった部分は、上ケース及び下ケースがラベルによって完全に包囲された後に互いに接合され、これによってラベルはケース及び電池本体に取り付けられる。重なった部分の接合は、様々な方法で、例えば接着剤、熱溶接、又は接着部材又は接合部材の追加を使用する取り付けによって行ってもよい。しかしながら、接合は、上述の特定の方法を除く他の異なる方法によって行ってもよい。更に、ラベル、ケース、及び電池本体の間に接着剤を付けてもよく、これによって接着剤力が更に増大する。
【００２８】
ラベル用の材料には特に制限はない。例えば、ラベルは、ポリカーボネート（ＰＣ）やポリエチレンテレフタレート（ＰＥＴ）等のプラスチック材料、薄い金属材料、又はプラスチック及び金属を含む複合材料で形成されていてもよい。更に、ラベルは、ラベルの強度を向上する短繊維、長繊維、不織布、又は織布等の繊維質補強材を含むプラスチックベースの材料である補強材料で形成されていてもよい。最も好ましくは、ラベルはプラスチック材料製である。ラベルの望ましい厚さは、電池パックの厚さ及び保護部材としてのラベルの機能を考慮して、約０．１ｍｍ乃至０．２ｍｍである。しかしながら、ラベルの厚さは上文中で特定した大きさに限定されない。
【００２９】
矩形の又はポーチ状の電池本体を、本発明による電池パックに取り付けてもよい。好ましくは、電池本体は、リチウムイオン蓄電池又はリチウムイオンポリマー蓄電池である。
【００３０】
本発明の以上の及び他の目的、特徴及び他の利点は、以下の詳細な説明を添付図面と関連して読むことにより、更に明瞭に理解されるであろう。
【発明を実施するための最良の形態】
【００３１】
次に、本発明の好ましい実施例を添付図面を参照して詳細に説明する。しかしながら、本発明の範囲は、例示の実施例によって限定されないということは理解されるべきである。
【００３２】
図１２は、本発明の好ましい実施例による電池パックを示す分解斜視図であり、図１３は、本発明の好ましい実施例による電池パックを示す組み立てた状態の斜視図である。
【００３３】
図１２及び図１３を参照すると、電池パック１００は、カソード、アノード、及びセパレータを含む電極アッセンブリが電解質とともに密封状態で取り付けられた電池本体２００と、電池パック２００を受け入れるための下ケース３００と、電池本体２００をシールするため上ケース４００とを含む。
【００３４】
電池本体２００の上端には、保護回路モジュール（ＰＣＭ）２１０や正の温度係数（ＰＴＣ）エレメント等の保護回路デバイスが取り付けられている。
【００３５】
下ケース３００は、電池本体２００の外面と一致する内面を有し、電池本体２００は下ケース３００に配置できる。上フレーム３１０には、サーマルウィンドウ３１２及び３１４が形成されており、これらのウィンドウを通して、ＰＣＭ２１０の外部入出力端子２１２及び２１４が露呈される。
【００３６】
下ケース３００及び上ケース４００は、下ケース３００の上面及び上ケース４００の下面が開放したフレーム構造で形成されている。下ケース３００の両側には、上方に延びる側壁３２０が形成されている。上ケース４００の両側には、下方に延びる側壁４２０が形成されている。下ケース３００の下面と側壁３２０とが互いに出会うところにある肩部３３０は、湾曲した断面形状でゆるやかに曲がっている。同様に、上ケース４００の上面と側壁４２０とが互いに出会うところにある肩部４３０は、全体に湾曲した断面形状を備えている。従って、下ケース３００及び上ケース４００は、互いに円弧形状の対称な構造を形成し、及び従って、下ケース３００及び上ケース４００は、下ケース３００及び上ケース４００に加えられた外力に関して構造的に安定している。
【００３７】
上ケース４００及び下ケース３００は、超音波溶接によって互いに接合される。特定的には、上ケース４００の上フレーム４１０及び下フレーム４４０が、下ケース３００の上フレーム３１０及び下フレーム３４０に夫々接合される。下ケース３００の上フレーム３１０と接触させた上ケース４００の上フレーム４１０の端部は、溶接押縁４１２を形成する。下ケース３００の上フレーム３１０の端部は、溶接押縁４１２と対応する溶接面３１６を形成する。上フレーム３１０及び４１０、及び下フレーム３４０及び４４０の厚さは、側壁３２０及び４２０を形成する側フレームよりも大きい。その結果、上フレーム３１０及び４１０、及び下フレーム３４０及び４４０は超音波溶接を行う上で十分なインターフェース面積を提供する。溶接押縁４１２及び溶接面３１６は、逆に形成してもよい。溶接押縁４１２及び溶接面３１６で行われる超音波溶接は、図１０及び図１１の場合と同じである。
【００３８】
電池本体２００の上面及び下面は、上ケース４００の開口部及び下ケース３００の開口部３５０の夫々を通して露呈されている。
【００３９】
互いに接合された上ケース４００及び下ケース３００の外面には、一対のラベル５００及び５１０が夫々取り付けられる。これらのラベル５００及び５１０の内面には接着剤が付けてあり、この接着剤によって、ラベル５００及び５１０を、これらのラベル５００及び５１０の重なり領域で互いにしっかりと固定できるばかりでなく、上ケース４００及び下ケース３００、及び上ケース４００及び下ケース３００の開口部４５０及び３５０を通して露呈された電池本体２００の外面にもしっかりと固定できる。
【００４０】
図１４は、本発明の別の好ましい実施例による電池パック１０１を示す正面図である。
【００４１】
図１４を参照すると、ラベル５０１は、上ケース４００及び下ケース３００の外面全体を覆うのに十分な長さを持つ１ユニット構造で形成されている。これが、図１２のラベル５００及び５１０との相違である。
【００４２】
図１５は、本発明の別の好ましい実施例による電池パック１００を示す平面図であり、図１６は、電池パック１００の垂直断面図であり、図１７は、電池パック１００の側壁部分の拡大断面図である。理解を容易にするため、これらの図にはラベルが示してない。
【００４３】
先ず最初に図１５を参照すると、電池本体２００の上面は、上ケース４００から露呈されている。従って、充電時及び放電時に電池本体２００から発せられる熱が効率的に放散され、及び従って、電池本体２００の最適の作動が行われる。
【００４４】
図１６及び図１７を参照すると、接合突出部３６０を接合溝４６０と係合できるように、接合突出部３６０及び接合溝４６０が、下ケース３００の側壁３２０及び上ケース４００の側壁４２０に夫々形成されている。接合突出部３６０及び接合溝４６０は、逆に形成されていてもよい。状況によっては、接合突出部３６０及び接合溝４６０は、左右の側壁で異なるように形成されていてもよい。更に、接合突出部３６０及び接合溝４６０の形状は、特に制限されない。換言すると、接合突出部３６０及び接合溝４６０は、様々な形状で形成してもよい。状況によっては、接合突出部３６０及び接合溝４６０が形成されていなくてもよい。その結果、ケース３００及び４００の側壁３２０及び４２０のところで超音波溶接が行われない。従って、側部の厚さが小さいケースを特に制限なしに製造できる。
【００４５】
図１７を再び参照すると、電池本体２００は、上ケース４００及び下ケース３００内に、段を形成することなく（段差なしで）、取り付けることができる。従って、ラベル（図示せず）が電池パック１００に取り付けられていない限り、電池本体２００の厚さ（ｔ）は、電池パック１００の厚さ（Ｔ）と等しい。詳細には、下ケース３００の内側端部３７０及び上ケース４００の内側端部４７０を電池本体２００の表面と接触させ、外方に突出しない。この構造により、電池本体２００を上ケース４００及び下ケース３００に安定的に固定できる。更に、電池パックは、非常に小さい厚さで製造できる。
【００４６】
本発明による電池パックは、好ましくは、内部電池パックとして使用される。
【００４７】
本発明の好ましい実施例を例示の目的で開示したが、特許請求の範囲に開示した本発明の範囲及び精神から逸脱することなく、様々な変更、追加、及び代替が可能であるということは当業者には理解されよう。
【産業上の利用可能性】
【００４８】
以上の説明から明らかであるように、本発明による電池パックは、従来の電池パックよりも薄型に製造できる。更に、充電中及び放電中、電池本体から効率的に放熱できる。更に、本発明による電池パックは、電池パックに必要な構造上の安定性を提供し、ケースの接合力を高める。
【図面の簡単な説明】
【００４９】
【図１】図１は、ハード電池パックを示す斜視図である。
【図２】図２は、矩形の電池本体を含む従来の内部電池パックを示す斜視図である。
【図３】図３は、図２に示す電池パックの分解斜視図である。
【図４】図４は、部分的に組み立てた、図２に示す電池パックの斜視図である。
【図５】図５は、ポーチ状電池本体を含む従来の電池パックを示す斜視図である。
【図６】図６は、図５に示す電池パックの分解斜視図である。
【図７】図７は、部分的に組み立てた、図５に示す電池パックの斜視である。
【図８】図８は、従来の電池パックを示す平面図である。
【図９】図９は、図８のＡ−Ａ線に沿った断面図である。
【図１０】図１０は、超音波溶接前の図９の部分Ｂの部分拡大図である。
【図１１】図１１は、超音波溶接後の図９の部分Ｂの部分拡大図である。
【図１２】図１２は、本発明の好ましい実施例による電池パックを示す分解斜視図である。
【図１３】図１３は、本発明の好ましい実施例による電池パックを示す、組み立てた状態の斜視図である。
【図１４】図１４は、本発明の別の好ましい実施例による電池パックの外面に１ユニットラベルを付ける組み立てプロセスを示す図である。
【図１５】図１５は、本発明の好ましい実施例による電池パックを示す平面図である。
【図１６】図１６は、図１５のＣ−Ｃ線に沿った断面図である。
【図１７】図１７は、図１６の部分Ｄを示す部分拡大図である。
【符号の説明】
【００５０】
１００  電池パック
２００  電池本体
２１０  保護回路モジュール
２１２、２１４  外部入出力端子
３００  下ケース
３１０  上フレーム
３１２、３１４  サーマルウィンドウ
３１６  溶接面
３２０  側壁
３４０  下フレーム
３５０  開口部
４００  上ケース
４１０  上フレーム
４１２  溶接押縁
４２０  側壁
４３０  肩部
４４０  下フレーム
５００、５１０  ラベル
【図１】
2008532223.tif 000003
【図２】
2008532223.tif 000004
【図３】
2008532223.tif 000005
【図４】
2008532223.tif 000006
【図５】
2008532223.tif 000007
【図６】
2008532223.tif 000008
【図７】
2008532223.tif 000009
【図８】
2008532223.tif 000010
【図９】
2008532223.tif 000011
【図１０】
2008532223.tif 000012
【図１１】
2008532223.tif 000013
【図１２】
2008532223.tif 000014
【図１３】
2008532223.tif 000015
【図１４】
2008532223.tif 000016
【図１５】
2008532223.tif 000017
【図１６】
2008532223.tif 000018
【図１７】
2008532223.tif 000019
【国際調査報告】
2008532223.tif 000020
2008532223.tif 000021